(57)【要約】      （修正有）【課題】容易に取替ができ、オートバイの前部に取り付けられるスクリーンを提供する。【解決手段】透明な板状体の周辺に発光装置を設け、スクリーンを発光させる。発光装置はバッテリーを主電源とする。【選択図】図１
0003171137.tif 000002
【実用新案登録請求の範囲】
【請求項１】
オートバイの前部に取り付けられるスクリーンであって、透明な素材で形成する板状体の周辺に、バッテリーを主電源する発光装置を配置してなる、バイク用スクリーン
【考案の詳細な説明】
【技術分野】
【０００１】本考案はオートバイの前部に取り付けるスクリーンに関する物。
【背景技術】
【０００２】現在知られているスクリーンは風除け効果等に役立つ物で且つ自分のオートバイの特徴の一部であり、板状スクリーン、湾曲形スクリーン、透明色スクリーン、色付きスクリーンの物等がある。
【考案の概要】
【考案が解決しようとする課題】
【０００３】現在はスクリーンに付属するカウル等の外装を加工や塗装しイベントや展示会での集客を図っているが、いずれも加工、塗装が高価であり、取り付けも複雑な物も多く、容易に取替が出来にくい物になっている。【０００４】本考案はこのような事に着目し、容易に取替が出来るスクリーンを提供できる事を目的に開発したものである。
【課題を解決するための手段】
【０００５】上記目的を達成する為に、本事案に係わるバイク用スクリーンは前面部にスクリーンを有するバイク又は取り付け可能なバイクであって、前記スクリーンを透過性のある物質で構成し、スクリーン内部又は周辺に発光装置を設けたことを特徴とする。
【考案の効果】
【０００６】バイク前面部の取り付けられている、スクリーンが発光するために、イベント会場等の室内等の暗所や、夜間でも離れた所からも視認できる。スクリーンは取り外しが比較的容易なため、イベント終了時には簡単に取り外しができ、他のものと交換することができる。
【考案の実施する為の形態】
【実施例】
【０００７】以下図面示す実施例に従って、本考案の実施態様について詳しく述べる。
図１においては、バイク前方のカウル上方に螺子で取り付けられた、平板状スクリーン１の底辺部の左右にＬＥＤ発光装置２を取り付けてある。
図２は平板状スクリーンの他の実施例で、屈折部を有する平板状スクリーン３の底辺部中心付近にＬＥＤ発光装置２を取り付けてある。
図３は湾曲状スクリーンの実施例で湾曲型スクリーン４の左右の中心部付近２箇所に薄型ＬＥＤ発光装置４を取り付けたものである。【０００８】スクリーンを構成する透明又は半透明の部材は、アクリル樹脂からなることが好ましいが、透明、半透明の部材であれば、他の材料からなってもよい。
発光装置はＬＥＤであることが好ましいが、他の発光装置であってもよい。
オートバイの車種やスクリーン取り付け部分の形状により発光装置の形状や取り付け方法も変える事ができる。
発光装置が発する色によりスクリーンは各色に発光するため、発光装置の色を選ぶことにより、好みの色で発光させる。
発光装置の数量、配置場所により発光の度合いも好みで変える事ができる。
このバイク用スクリーンでは車両前部のスクリーン全体が発光するので、イベントや展示会でより多くの注目を集めることが可能になる。
このバイク用スクリーンの裏側に会社案内や団体名、ロゴマーク等を、シール、カッティングシート、エッチング、サンドブラスト、レーザー加工等により加工を施す事により、スクリーン全体が発光する為、加工を施した部分が強調され、はっきりと視認出来る事ができ、多くの効果を得ることができる。
上記をカッティングシートやシールで文字やロゴを貼り付けることにより、イベントや展示会等の終了時には簡単に剥がすことが出来、新たな物を貼ることも可能である。
スクリーンの形状は板状スクリーン、湾曲形スクリーン、透明色スクリーン、色付きスクリーンの物等があり、上記のどの形状にも取り付け可能な場所であれば、取り付ける事ができ、スクリーンを発光させることができる。
発光装置はオートバイに取り付けられているバッテリーを主電源とするが、乾電池、外部バッテリー、外部電源でも発光することができる。【０００９】本事案に係わるスクリーンが設けられる車両は、原動機付自転車、自動二輪車、普通自動二輪車、側車付き二輪車、トライクである。
【符号の説明】１  平板状スクリーン
２  ＬＥＤ発光装置
３  屈折型スクリーン
４  湾曲型スクリーン
５  薄型ＬＥＤ発光装置
【図１】
0003171137.tif 000003
【図２】
0003171137.tif 000004
【図３】
0003171137.tif 000005
【手続補正書】
【提出日】平成23年1月18日(2011.1.18)
【手続補正１】
【補正対象書類名】明細書
【補正対象項目名】全文
【補正方法】変更
【補正の内容】
【考案の詳細な説明】
【技術分野】
【０００１】  本考案はオートバイの前部に取り付けるスクリーンに関する物。
【背景技術】
【０００２】現在知られているスクリーンは風除け効果等に役立つ物で且つ自分のオートバイの特徴の一部であり、板状スクリーン、湾曲形スクリーン、透明色スクリーン、色付きスクリーンの物等がある。
【考案の概要】
【考案が解決しようとする課題】
【０００３】現在はスクリーンに付属するカウル等の外装を加工や塗装しイベントや展示会での集客を図っているが、いずれも加工、塗装が高価であり、取り付けも複雑な物も多く、容易に取替が出来にくい物になっている。【０００４】本考案はこのような事に着目し、容易に取替が出来るスクリーンを提供できる事を目的に開発したものである。
【課題を解決するための手段】
【０００５】上記目的を達成する為に、本事案に係わるバイク用スクリーンは前面部にスクリーンを有するバイク又は取り付け可能なバイクであって、前記スクリーンを透過性のある物質で構成し、スクリーン内部又は周辺に発光装置を設けたことを特徴とする。
【考案の効果】
【０００６】バイク前面部の取り付けられている、スクリーンが発光するために、イベント会場等の室内等の暗所や、夜間でも離れた所からも視認できる。スクリーンは取り外しが比較的容易なため、イベント終了時には簡単に取り外しができ、他のものと交換することができる。
【考案の実施する為の形態】
【実施例】
【０００７】以下図面示す実施例に従って、本考案の実施態様について詳しく述べる。
図１においては、バイク前方のカウル上方に螺子で取り付けられた、平板状スクリーン１の底辺部の左右にＬＥＤ発光装置２を取り付けてある。
図２は平板状スクリーンの他の実施例で、屈折部を有する平板状スクリーン３の底辺部中心付近にＬＥＤ発光装置２を取り付けてある。
図３は湾曲状スクリーンの実施例で湾曲型スクリーン４の左右の中心部付近２箇所に薄型ＬＥＤ発光装置４を取り付けたものである。【０００８】スクリーンを構成する透明又は半透明の部材は、アクリル樹脂からなることが好ましいが、透明、半透明の部材であれば、他の材料からなってもよい。
発光装置はＬＥＤであることが好ましいが、他の発光装置であってもよい。
オートバイの車種やスクリーン取り付け部分の形状により発光装置の形状や取り付け方法も変える事ができる。
発光装置が発する色によりスクリーンは各色に発光するため、発光装置の色を選ぶことにより、好みの色で発光させる。
発光装置の数量、配置場所により発光の度合いも好みで変える事ができる。
このバイク用スクリーンでは車両前部のスクリーン全体が発光するので、イベントや展示会でより多くの注目を集めることが可能になる。
このバイク用スクリーンの裏側に会社案内や団体名、ロゴマーク等を、シール、カッティングシート、エッチング、サンドブラスト、レーザー加工等により加工を施す事により、スクリーン全体が発光する為、加工を施した部分が強調され、はっきりと視認出来る事ができ、多くの効果を得ることができる。
上記をカッティングシートやシールで文字やロゴを貼り付けることにより、イベントや展示会等の終了時には簡単に剥がすことが出来、新たな物を貼ることも可能である。
スクリーンの形状は板状スクリーン、湾曲形スクリーン、透明色スクリーン、色付きスクリーンの物等があり、上記のどの形状にも取り付け可能な場所であれば、取り付ける事ができ、スクリーンを発光させることができる。
発光装置はオートバイに取り付けられているバッテリーを主電源とするが、乾電池、外部バッテリー、外部電源でも発光することができる。
【図面の簡単な説明】
【０００９】
【図１】バイク前方のカウル上方に螺子で取り付けられた、平板状スクリーン１の底辺部の左右にＬＥＤ発光装置２を取り付けたものである。
【図２】平板状スクリーンの他の実施例で、屈折部を有する平板状スクリーン３の底辺部中心付近にＬＥＤ発光装置２を取り付けたものである。
【図３】湾曲状スクリーンの実施例で湾曲型スクリーン４の左右の中心部付近２箇所に薄型ＬＥＤ発光装置４を取り付けたものである。
【００１０】本事案に係わるスクリーンが設けられる車両は、原動機付自転車、自動二輪車、普通自動二輪車、側車付き二輪車、トライクである。
【符号の説明】
【００１１】１  平板状スクリーン
２  ＬＥＤ発光装置
３  屈折型スクリーン
４  湾曲型スクリーン
５  薄型ＬＥＤ発光装置